(57)【要約】【課題】フランジと段部との間に隙間を保ちながら、操作キーを押した後や振動が加わったときに、フランジと段部とが当接して音が鳴るのを防ぐと共に、操作キーの高さのばらつきを防ぐ。【解決手段】基板７を表面側から覆う筐体本体１０のキー用貫通孔１２内に、その周縁部内面に設けた段部１３にフランジ１５を潜り込ませるように操作キー１４を配置する。操作キー１４の内面側に操作キー１４を押し下げたときに、導電性可動接点２２を基板７上の固定接点２３に導通させる突出部１８を有する弾性シート１６を設ける。キー用貫通孔１２の段部１３よりも外周側に弾性シート１６を押し下げるリブ２５（押下手段）を設け、段部１３とフランジ１５との間に隙間を形成する。【選択図】図４
2006352414.tif 000002
【特許請求の範囲】
【請求項１】
基板を表面側から覆い、複数のキー用貫通孔を有する筐体本体と、
上記キー用貫通孔内に配置され、該キー用貫通孔の周縁部内面に設けた段部に潜り込むフランジを有する操作キーと、
上記操作キーの内面側に設けられ、該操作キーを押し下げたときに導電性可動接点を上記基板上の固定接点に導通させる突出部を有する弾性シートと、
上記キー用貫通孔の段部よりも外周側に設けられ、上記弾性シートを押し下げる押下手段とを備え、
上記段部とフランジとの間には、隙間が形成されていることを特徴とする携帯通信機器。
【請求項２】
請求項１に記載の携帯通信機器において、
上記押下手段は、上記筐体本体に上記キー用貫通孔の周縁部に沿って基板側に向けて突出するように設けたリブであることを特徴とする携帯通信機器。
【請求項３】
請求項１に記載の携帯通信機器において、
上記押下手段は、上記弾性シートに上記キー用貫通孔の周縁部に沿って筐体本体側へ突出するように設けたリブであることを特徴とする携帯通信機器。
【請求項４】
請求項２又は３に記載の携帯通信機器において、
上記リブは、非連続に形成されていることを特徴とする携帯通信機器。
【発明の詳細な説明】
【技術分野】
【０００１】
本発明は、複数の操作キーを備えた携帯電話機などの携帯通信機器に関するものである。
【背景技術】
【０００２】
従来より、この種の携帯通信機器として、例えば、特許文献１のようなものが知られている。
【０００３】
図７及び図８に示すように、この携帯通信機器は、基板１０７を表面側から覆い、複数のキー用貫通孔１１２を有する筐体本体１１０と、キー用貫通孔１１２内に配置され、このキー用貫通孔１１２の周縁部内面に設けた段部１１３に潜り込むフランジ１１５を有する操作キー１１４と、この操作キー１１４の内面側に設けられ、操作キー１１４を押し下げたときに導電性可動接点１２２を基板１０７上の固定接点１２３に導通させる突出部１１８を有する弾性シート１１６とを備えている。
【特許文献１】特開２００３−２８１９６５号公報（図４及び図５）
【発明の開示】
【発明が解決しようとする課題】
【０００４】
しかしながら、従来の携帯通信機器では、操作キー１１４が常に可動接点１２２を押し下げないように、また、操作キー１１４を押した後、可動接点１２２に押し戻された操作キー１１４のフランジ１１５がキー用貫通孔１１２の段部１１３に当接しないように、フランジ１１５と段部１１３との間には、隙間Ｓが設けられている。この隙間Ｓは、基板１０７の板厚誤差などを吸収するため、ある程度の大きさが保たれている。
【０００５】
このため、携帯通信機器を手に持って振ると、フランジ１１５が段部１１３に当接して音が鳴るという問題があった。
【０００６】
また、基板１０７の板厚の誤差などにより、操作キー１１４を取り付けた後に操作キー１１４の表面の高さがばらついて見映えが悪いという問題がある。
【０００７】
本発明は、かかる点に鑑みてなされたものであり、その目的とするところは、フランジと段部との間に隙間を保ちながら、操作キーを押した後や振動が加わったときに、フランジと段部とが当接して音が鳴るのを防ぐと共に、操作キーの高さのばらつきを防ぐことにある。
【課題を解決するための手段】
【０００８】
上記の目的を達成するために、この発明では、キー用貫通孔の段部よりも外周側に弾性シートを押し下げる押下手段を設けた。
【０００９】
具体的には、第１の発明では、基板を表面側から覆い、複数のキー用貫通孔を有する筐体本体と、
上記キー用貫通孔内に配置され、該キー用貫通孔の周縁部内面に設けた段部に潜り込むフランジを有する操作キーと、
上記操作キーの内面側に設けられ、該操作キーを押し下げたときに導電性可動接点を上記基板上の固定接点に導通させる突出部を有する弾性シートと、
上記キー用貫通孔の段部よりも外周側に設けられ、上記弾性シートを押し下げる押下手段とを備え、
上記段部とフランジとの間には、隙間が形成されている。
【００１０】
上記の構成によると、操作キーのフランジがキー用貫通孔周縁部の段部に隙間を保ちながら潜り込んでいるので、操作キーが通常時に可動接点を押し続けることはない。また、押下手段によって弾性シートが押し下げられて基板側に所定の力で引っ張られるので、操作キーを押し下げた後に可動接点に押し戻されたり、携帯通信機器を振って振動が加わっても、フランジが段部に当接することはない。
【００１１】
第２の発明では、上記押下手段は、上記筐体本体に上記キー用貫通孔の周縁部に沿って基板側に向けて突出するように設けたリブとしている。
【００１２】
上記の構成によると、リブを筐体本体に設けるだけで、適切に弾性シートを押し下げる押下手段が得られる。
【００１３】
第３の発明では、上記押下手段は、上記弾性シートに上記キー用貫通孔の周縁部に沿って筐体本体側へ突出するように設けたリブとしている。
【００１４】
上記の構成によると、リブを弾性シートに設けるだけで、適切に弾性シートを押し下げる押下手段が得られる。
【００１５】
第４の発明では、上記リブは、非連続に形成されている。
【００１６】
上記の構成によると、弾性シートが適切な力で基板側へ引っ張られる。
【発明の効果】
【００１７】
以上説明したように、上記第１の発明によれば、操作キーのフランジをキー用貫通孔周縁部の段部に隙間を保つように潜り込ませると共に、押下手段によって弾性シートを押し下げるようにしている。このため、操作キーが常に押されるのを防ぐことができ、また、携帯通信機器を振った際にフランジが段部に当接して音が鳴ったり、操作キーの高さがばらついたりするのを防ぐことができる。
【００１８】
上記第２の発明によれば、筐体本体側に設けたリブで弾性シートを押し下げている。上記第３の発明によれば、弾性シート側に設けたリブで弾性シートを押し下げている。これらの発明によると、簡単で安価な構成で、操作キーが常に押されるのを防ぐことができ、また、携帯通信機器を振った際にフランジが段部に当接して音が鳴ったり、操作キーの高さがばらついたりするのを防ぐことができる。
【００１９】
上記第４の発明によれば、リブを非連続に形成していることにより、弾性シートが適切に撓んで最適な力で基板側へ引っ張ることができる。このため、さらに確実に操作キーが常に押されるのを防ぐことができ、また、携帯通信機器を振った際にフランジが段部に当接して音が鳴ったり、操作キーの高さがばらついたりするのを防ぐことができる。
【発明を実施するための最良の形態】
【００２０】
以下、本発明の実施形態を図面に基づいて説明する。
【００２１】
図１に本発明の実施形態に係る携帯通信機器としての携帯電話機１を示す。例えばこの携帯電話機１は、液晶表示部２を有する第１の筐体３と、表面に操作部４を有する第２の筐体５と、これら第１の筐体３と第２の筐体５とを折畳み開閉自在に連結するヒンジ部６とを備えている。図２に示すように、第２の筐体５内には、基板７が設けられている。
【００２２】
上記第２の筐体５は、樹脂成形品よりなり、表面側の筐体本体１０と、この筐体本体１０の背面側を覆う背面カバー１１とを備えている。この筐体本体１０は、基板７を表面側から覆い、複数のキー用貫通孔１２を有している。
【００２３】
上記各キー用貫通孔１２内には、操作キー１４が配置されている。すなわち、図３乃至図５に示すように、キー用貫通孔１２の周縁部内面には、表面側に向けて凹んだ段部１３が形成されている。操作キー１４は、樹脂成形品よりなり、この段部１３に所定の隙間Ｓ（本実施形態では、Ｓ＝０．１〜０．１５ｍｍ）を保ちながら潜り込むフランジ１５を有している。
【００２４】
図４乃至図６に示すように、上記操作キー１４は、ゴム製の弾性シート１６に接着剤１７などによって貼り付けられている。図２にも示すように、この弾性シート１６は、上記操作キー１４の真下に基板７側へ突出する、例えば円錐台形の突出部１８を備えている。各突出部１８が配置されていない領域には、突出部１８よりも高さが高く、基板７に当接する複数の当接部１９が基板７側へ向けて突出するように設けられている。このことで、当接部１９が基板７に当接した状態で、弾性シート１６と基板７との間に空間２１（図４にのみ示す）が形成されている。弾性シート１６は、その周縁に複数の取付孔１６ａを有し、この取付孔１６ａを筐体本体１０裏面に突出する取付用突起１０ａに嵌め込むことで、弾性シート１６が筐体本体１０に取り付けられるようになっている。
【００２５】
例えば、上記弾性シート１６を略半透明のものとし、操作キー１４の中心部分を透明とし、フランジ１５を光を通さないものとすることで、操作キー１４の中心はバックライトで明るくし、フランジ１５では、操作キー１４の下側からのバックライトの光の漏れを防ぐようにすることもできる。
【００２６】
一方、上記基板７には、表面側へ山形に突出し、弾性力を有した平面視円形の可動接点２２が設けられている。また、この可動接点２２の裏面側に固定接点２３が設けられている。そして、操作キー１４を押し下げない状態では、突出部１８が可動接点２２にほとんど当接しないか、可動接点２２を押し下げないような力で若干当接した状態にある。
【００２７】
そして、操作キー１４を押し下げたときに、その突出部１８が導電性可動接点２２を押し下げることで、可動接点２２が固定接点２３に導通し、各操作キー１４によって基板７に入力が行われるようになっている。また、操作キー１４は、ユーザーが指を離した段階で可動接点２２によって押し戻されるようになっている。
【００２８】
そして、本発明の特徴として、図３及び図５に示すように、上記キー用貫通孔１２の段部１３よりも外周側には、基板７側に向けて突出するように押下手段としてのリブ２５が設けられている。本実施形態では、このリブ２５は、４つに分割されて、キー用貫通孔１２を囲むように配置されている。
【００２９】
このリブ２５によって弾性シート１６は、基板７側へ押し下げられ、その当接部分で所定の応力が負荷され、基板７側へ撓んでいる。具体的には、このリブ２５の高さは、突出部１８が可動接点２２を常に押さないように、かつ操作キー１４のフランジ１５がキー用貫通孔１２周縁部の段部１３に隙間Ｓを保ちながら潜り込むような高さに設定されている。
【００３０】
−作用−
次に、本実施形態にかかる携帯電話機１のリブ２５の作用について説明する。
【００３１】
まず、筐体本体１０に弾性シート１６を嵌め込む。
【００３２】
次いで、弾性シート１６に基板７の表面側が当接するように、基板７を取り付ける。
【００３３】
すると、弾性シート１６の当接部１９が基板７に当接して空間２１が形成された状態で、操作キー１４のフランジ１５がキー用貫通孔１２周縁部の段部１３に隙間Ｓを保ちながら潜り込み、筐体本体１０のリブ２５が弾性シート１６を押し下げて基板７側に所定の力で引っ張りながら、段部１３とフランジ１５との間に隙間Ｓが形成される。
【００３４】
最後に、背面カバー１１を取り付ける。
【００３５】
このように組み立てることで、操作キー１４が通常時に可動接点２２を押し続けることなく、また、操作キー１４を押し下げた後に可動接点２２に押し戻されたり、携帯電話機１を振って振動が加わっても、リブ２５によって弾性シート１６が引っ張られているので、フランジ１５が段部１３に当接することはない。
【００３６】
−実施形態の効果−
したがって、本実施形態にかかる携帯電話機１によると、操作キー１４のフランジ１５をキー用貫通孔１２周縁部の段部１３に隙間Ｓを保つように潜り込ませると共に、リブ２５によって弾性シート１６を押し下げるようにしている。このため、操作キー１４が常に押されるのを防ぐことができ、また、携帯電話機１を振った際にフランジ１５が段部１３に当接して音が鳴ったり、操作キー１４の高さがばらついたりするのを防ぐことができる。
【００３７】
また、筐体本体１０に設けたリブ２５で弾性シート１６を押し下げることにより、簡単で安価な構成で、操作キー１４が常に押されるのを防ぐことができ、また、携帯電話機１を振った際にフランジ１５が段部１３に当接して音が鳴ったり、操作キー１４の高さがばらついたりするのを防ぐことができる。
【００３８】
さらに、リブ２５を非連続に形成していることにより、弾性シート１６が適切に撓んで最適な力で基板７側へ引っ張ることができる。このため、さらに確実に操作キー１４が常に押されるのを防ぐことができ、また、携帯電話機１を振った際にフランジ１５が段部１３に当接して音が鳴ったり、操作キー１４の高さがばらついたりするのを防ぐことができる。
【００３９】
（その他の実施形態）
本発明は、上記実施形態について、以下のような構成としてもよい。
【００４０】
すなわち、上記実施形態では、押下手段として、筐体本体１０に基板７側に向けて突出するようリブ２５を設けたが、弾性シート１６に筐体本体１０側へ突出するようにリブ２５を設けてもよい。この場合には、弾性シート１６側のリブ２５がキー用貫通孔１２の周縁部内面に当接することで、弾性シート１６が、上記実施形態と同様に下側に引っ張られるようになる。このことで、上記実施形態と同一の作用効果が得られる。
【００４１】
なお、以上の実施形態は、本質的に好ましい例示であって、本発明、その適用物や用途の範囲を制限することを意図するものではない。
【産業上の利用可能性】
【００４２】
以上説明したように、本発明は、複数の操作キーを備えた携帯電話機などの携帯通信機器について有用である。
【図面の簡単な説明】
【００４３】
【図１】本発明の実施形態に係る携帯電話機を示す斜視図である。
【図２】第２の筐体を裏側から見た分解斜視図である。
【図３】キー用貫通孔を拡大して示す斜視図である。
【図４】操作キー及びその周辺を拡大して示す側方断面図である。
【図５】リブ及びその周辺を拡大して示す側方断面図である。
【図６】弾性シート及び操作キーを拡大して示す斜視図である。
【図７】従来技術の操作キー及びその周辺を拡大して示す側方断面図である。
【図８】操作キーのリブ及びその周辺を拡大して示す側方断面図である。
【符号の説明】
【００４４】
１      携帯電話機（携帯通信機器）
７      基板
１０      筐体本体
１２      キー用貫通孔
１３      段部
１４      操作キー
１５      フランジ
１６      弾性シート
１８      突出部
２２      可動接点
２３      固定接点
２５      リブ（押下手段）
Ｓ      隙間
【図１】
2006352414.tif 000003
【図２】
2006352414.tif 000004
【図３】
2006352414.tif 000005
【図４】
2006352414.tif 000006
【図５】
2006352414.tif 000007
【図６】
2006352414.tif 000008
【図７】
2006352414.tif 000009
【図８】
2006352414.tif 000010